(57)【要約】【課題】標準装備とされたオプション品についても、その装着状態を適切に管理することができる画像形成装置およびその制御方法を提供すること。【解決手段】プリンタ１は、各オプション品２４が着脱可能に装着される装着部２１と、オプション品が標準装備とされた初期構成における各オプション品２４の有無を示す初期構成テーブルＩＣＴを予め記憶する不揮発性メモリ１４と、各装着部２１へのオプション品２４の装着有無を検出するメカコントローラ２３と、印刷を制御するコントローラ１０とを備える。コントローラ１０は、検出された各オプション品２４の装着有無と初期構成テーブルＩＣＴとを比較することにより、初期構成に含まれるオプション品２４が装着されているか否かを判定し、初期構成に含まれるオプション品２４が装着されていなかった場合、表示パネル３０にエラー画面を表示させる。【選択図】図１
2009288752.tif 000002
【特許請求の範囲】
【請求項１】
オプション品を初期構成として含めることが可能な画像形成装置であって、
前記オプション品が着脱可能に装着される装着部と、
前記装着部に装着されたオプション品を検出する検出部と、
初期構成において前記装着部に装着されたオプション品を示す初期構成情報を予め記憶
する記憶部と、
前記初期構成情報と前記検出部による検出結果とに基づき、初期構成に含まれる前記オ
プション品が検出されたか否かを判定し、初期構成に含まれる前記オプション品が検出さ
れていない場合に、エラーを通知する通知部とを備えることを特徴とする画像形成装置。
【請求項２】
オプション品を初期構成として含めることが可能な画像形成装置の制御方法であって、
前記オプション品を着脱可能な装着部に装着されたオプション品を検出する検出ステッ
プと、
初期構成において装着されたオプション品を予め示した初期構成情報と検出結果とに基
づき、初期構成に含まれる前記オプション品が検出されたか否かを判定する判定ステップ
と、
初期構成に含まれる前記オプション品が検出されていない場合に、エラーを通知する通
知ステップとを含むことを特徴とする画像形成装置の制御方法。
【発明の詳細な説明】
【技術分野】
【０００１】
本発明は、両面印刷ユニット、給紙ユニット、ソーター等のオプション品を着脱可能に
構成された画像形成装置およびその制御方法に関する。
【背景技術】
【０００２】
従来、プリンタや複合機等の画像形成装置では、両面印刷ユニット等のオプション品を
着脱可能な構成とし、ユーザーがオプション品を後付けすることにより、所望の機能を拡
張できるようにしたものが広く知られている（例えば、特許文献１参照）。
【０００３】
また、オプション品を着脱可能に構成された画像形成装置においては、装着されている
オプション品を起動時に検出することにより、オプション品の有無を示す構成情報を取得
し、構成情報に基づいてオプション品が管理される（例えば、特許文献２参照）。
【０００４】
【特許文献１】特開２０００−２７０１３３号公報
【特許文献２】特開２００５−３０１６０９号公報
【発明の開示】
【発明が解決しようとする課題】
【０００５】
しかしながら、画像形成装置にはオプション品を標準装備として初期構成に含めること
があり、このような画像形成装置において、特許文献２に記載のように起動時に取得した
構成情報に基づいてオプション品を管理する場合、初期構成に含まれるオプション品のエ
ラーを適切に検出できないことがあった。
【０００６】
例えば、画像形成装置の販売戦略上、国内や海外等での様々な需要にこたえるため、現
地の販売会社において、オプション品を標準装備として初期構成に含めることにより、現
地のニーズが高い機能については予め拡張された状態で画像形成装置を販売する形態があ
る。このように、画像形成装置の初期構成にオプション品が含まれている場合、装置側か
らすると、現在装着されているオプション品が、初期構成のものとして元々装着されてい
るものであるのか、それともユーザーによって後付けされたものであるのかを判別するこ
とができなくなってしまう。このため、初期構成に含まれるオプション品が正しく装着さ
れていない、装置側のオプション品の装着を検出する検出機構の不良等によりオプション
品を検出できていない状態になっている場合に、エラーと判定することができずに、その
オプション品は元々装着されていないものと誤認識してしまうこととなる。
【０００７】
すなわち、従来の画像形成装置では、初期構成に含まれるオプション品の装着状態につ
いてエラー通知を適切に行うことができないという課題があった。
【課題を解決するための手段】
【０００８】
本発明は、上述の課題の少なくとも一部を解決するためになされたものであり、以下の
形態または適用例として実現することが可能である。
【０００９】
［適用例１］オプション品を初期構成として含めることが可能な画像形成装置であって
、前記オプション品が着脱可能に装着される装着部と、前記装着部に装着されたオプショ
ン品を検出する検出部と、初期構成において前記装着部に装着されたオプション品を示す
初期構成情報を予め記憶する記憶部と、前記初期構成情報と前記検出部による検出結果と
に基づき、初期構成に含まれる前記オプション品が検出されたか否かを判定し、初期構成
に含まれる前記オプション品が検出されていない場合に、エラーを通知する通知部とを備
えることを特徴とする画像形成装置。
【００１０】
［適用例２］オプション品を初期構成として含めることが可能な画像形成装置の制御方
法であって、前記オプション品を着脱可能な装着部に装着されたオプション品を検出する
検出ステップと、初期構成において装着されたオプション品を予め示した初期構成情報と
検出結果とに基づき、初期構成に含まれる前記オプション品が検出されたか否かを判定す
る判定ステップと、初期構成に含まれる前記オプション品が検出されていない場合に、エ
ラーを通知する通知ステップとを含むことを特徴とする画像形成装置の制御方法。
【００１１】
これらの構成によれば、初期構成に含まれるオプション品、すなわち装着されているは
ずのオプション品が検出されていない場合に、エラーが通知されるので、初期構成に含ま
れるオプション品の装着状態に応じてエラー通知を適切に行うことができる。これにより
、例えば、初期構成に含まれるオプション品が正しく装着されていないために検出できて
いない状態や、初期構成に含まれるオプション品と画像形成装置本体側との接触不良等に
より検出できていない状態となっている場合に、エラーを通知することにより、初期構成
に含まれるオプション品の装着状態に対して適切な対処をとるようユーザーに促すことが
できる。
【発明を実施するための最良の形態】
【００１２】
以下、本発明の実施の形態について実施例に基づいて説明する。
【００１３】
図１は、本実施例に係るプリンタの構成図である。図１に示すように、画像形成装置の
一例であるプリンタ１は、プリンタ１の動作を制御するコントローラ（通知部）１０と、
用紙等の印刷媒体に印刷を行う印刷エンジン２０と、ＬＣＤ（Liquid Crystal Display）
や有機ＥＬディスプレイ等の表示パネル３０とを備えている。
【００１４】
ここで、本実施例のプリンタ１は、両面印刷ユニット２４ａ、給紙ユニット２４ｂ、ソ
ーター２４ｃ、フィニッシャ、ネットワークボード（図示なし）等の各種のオプション品
２４が装着可能に構成されている。そして、以下では、図２に示すように、プリンタ１の
製造工場において両面印刷ユニット２４ａが装着された状態でプリンタ１が出荷され（両
面印刷ユニット２４ａを含んだ構成が工場出荷時のプリンタの標準装備となる。）、工場
出荷後、販売会社等において販売先の需要に合わせた機能拡張のカスタマイズが行われる
ことにより、両面印刷ユニット２４ａと給紙ユニット２４ｂを標準装備とした状態でプリ
ンタ１がユーザーに販売される場合を例にして説明する。なお、工場出荷時のオプション
構成を「出荷時構成」、販売時のオプション構成を「初期構成」という。ソーター２４ｃ
、フィニッシャ、ネットワークボード等のオプション品２４については販売時の初期構成
には含まれておらずに、ユーザーによって後付けで任意に着脱される。図１においては、
初期構成に含まれるオプション品２４が実線、初期構成に含まれないオプション品２４が
破線で示されている。
【００１５】
次に、プリンタ１の構成について説明する。プリンタ１のコントローラ１０について説
明する。コントローラ１０は、ＣＰＵ１１と、ＲＯＭ１２と、ＲＡＭ１３と、不揮発性メ
モリ（記憶部）１４と、通信Ｉ／Ｆ１５と、エンジンＩ／Ｆ１６と、パネルＩ／Ｆ１７と
を有している。
【００１６】
通信Ｉ／Ｆ１５は、ネットワーク等を介してホストコンピュータ（図示なし）から送信
される印刷データを受信する部分である。ＲＯＭ１２は、プリンタ１を制御するための各
種プログラムが予め記憶されたメモリである。ＲＡＭ１３は、受信した印刷データ等を格
納する受信バッファや作業領域等として用いられるメモリである。ＣＰＵ１１は、本プリ
ンタ１において行われる各種処理を制御する主制御装置であり、ＲＯＭ１２に記憶された
プログラムを実行することにより、受信した印刷データに従う印刷を制御する処理、印刷
エンジン２０に装着されたオプション品２４を管理する処理、表示パネル３０を制御する
処理等を行う。不揮発性メモリ１４は、ＥＥＰＲＯＭ等の読み書き可能且つ不揮発性を有
するメモリであり、後述する出荷時構成テーブルＳＣＴおよび初期構成テーブルＩＣＴが
予め記憶されている。
【００１７】
エンジンＩ／Ｆ１６は、コントローラ１０と印刷エンジン２０とのインターフェースを
司る部分であり、コントローラ１０が受信した印刷データに含まれる画像データを所定の
タイミングでＲＡＭ１３から読み出し、画像データに所定の処理を施した後に印刷エンジ
ン２０に出力することにより、印刷エンジン２０に印刷を実行させる処理を行う。なお、
このエンジンＩ／Ｆ１６には、データを一時的に格納するメモリ、解凍部、スクリーン処
理部等が備えられ、ＲＡＭ１３から読み出した画像データに対して、圧縮されたデータの
解凍、ドットのデータへ変換するスクリーン処理等を行う。これらの機能を有するエンジ
ンＩ／Ｆ１６は、具体的には、ＡＳＩＣ（Application Specific Integrated Circuit）
で構成されている。
【００１８】
次に、印刷エンジン２０について説明する。印刷エンジン２０は、オプション品ではな
い、プリンタとして機能するために必須の構成として、少なくとも１つの給紙部、少なく
とも１つの排紙部及び印刷機構部２２を備える。給紙部は、印刷機構部２２に印刷媒体を
給紙する。印刷機構部２２は給紙部より給紙された印刷媒体上に、上述したドットに変換
されたデータに基づき記録剤を転写／塗布するなどの印刷を実行する。さらに、排紙部は
、印刷実行部により印刷されて排紙された印刷媒体を保持する部分である。
【００１９】
また、印刷エンジン２０には、複数のオプション品２４を装着することができ、印刷エ
ンジン２０は複数のオプション品２４に対して、それぞれが対応するオプション品２４を
着脱可能な複数の装着部２１を持つ。なお、本実施例では、印刷エンジン２０に着脱可能
なオプション品２４として、両面印刷ユニット２４ａ、必須の構成の給紙部の他の給紙ユ
ニット２４ｂ、ソーター２４ｃを例に挙げている。両面印刷ユニット２４ａに対する装着
部２１を「両面印刷ユニット装着部２１ａ」、給紙ユニット２４ｂに対する装着部２１を
「給紙ユニット装着部２１ｂ」、ソーター２４ｃに対する装着部２１を「ソーター装着部
２１ｃ」ともいう。
【００２０】
さらに、印刷エンジン２０は給紙部、印刷機構部２２、排紙部、および各装着部２１に
装着されたオプション品２４の動作を制御するメカコントローラ（検出部）２３を備えて
いる。このメカコントローラ２３は、ＣＰＵ、ＲＯＭ、ＲＡＭ等により構成される。
【００２１】
特に、このメカコントローラ２３は、各装着部２１に対してオプション品２４が実際に
装着されているか否かを検出し、検出結果の情報（以下、「実装情報」という）をコント
ローラ１０に通知する処理を行う。なお、検出の結果、オプション品２４が装着されてい
る状態が実装情報「オン」、装着されていない状態が実装情報「オフ」に対応する。
【００２２】
また、各装着部２１には、オプション品２４が装着された状態で、オプション品２４側
の端子と接触する端子が備えられており、メカコントローラ２３は、オプション品２４側
の端子を通じて装着部２１側の端子に伝わる電気信号を検出することによって、上述した
オプション品２４が実際に装着されているか否かを検出する。もっとも、オプション品２
４の検出方法としてはこれに限られるものではなく、例えば、装着部２１側に設けられた
スイッチ機構によってオプション品２４の装着を検出する構成としてもよい。
【００２３】
ここで、コントローラ１０の不揮発性メモリ１４に予め記憶された出荷時構成テーブル
ＳＣＴおよび初期構成テーブルＩＣＴについて説明する。
【００２４】
出荷時構成テーブルＳＣＴは、工場出荷時におけるオプション構成（出荷時構成）を示
す出荷時構成情報を含んでおり、図３に例として示すように、プリンタ１に装着されうる
各オプション品２４についての出荷時構成情報を示したテーブルになっている。この出荷
時構成テーブルＳＣＴは、プリンタ１の製造時に不揮発性メモリ１４に書き込まれる。な
お、出荷時構成テーブルＳＣＴにおいて、出荷時構成情報「オン」は、該当するオプショ
ン品２４が出荷時構成に含まれることを示す。つまり、出荷時構成情報「オン」のオプシ
ョン構成を含めたプリンタが工場出荷時の標準装備となる。出荷時構成情報「オフ」は、
該当するオプション品２４が出荷時構成に含まれないことを示している。本実施例では、
工場出荷時、両面印刷ユニット２４ａが装着されており、他のオプション品２４は装着さ
れていないので、図３に示すように、出荷時構成テーブルＳＣＴにおいて、両面印刷ユニ
ット２４ａについては出荷時構成情報「オン」、他のオプション品２４については出荷時
構成情報「オフ」である。
【００２５】
一方、初期構成テーブルＩＣＴは、工場出荷後に販売会社等において行われたカスタマ
イズ後のオプション構成（初期構成）を示す初期構成情報を含んでいる。国内、海外にお
ける様々な販売会社を通してプリンタ１を販売する流通の形態においては、図２に説明し
たように、販売会社側で現地の需要に合わせたオプション構成のカスタマイズを行うこと
により、所望のオプション品を標準装備として備えた仕様のプリンタ１を設定することが
ある。初期構成テーブルＩＣＴは、こうしたカスタマイズの内容を反映したオプション構
成を示しており、販売会社等におけるカスタマイズ実行時に不揮発性メモリ１４に書き込
まれる。なお、図４の初期構成テーブルＩＣＴにおいて、初期構成情報「オン」は該当す
るオプション品２４が初期構成に含まれること、初期構成情報「オフ」は該当するオプシ
ョン品２４が初期構成に含まれないことを示している。上述したように、本実施例では、
両面印刷ユニット２４ａおよび給紙ユニット２４ｂが標準装備として初期構成に含まれる
一方、ソーター２４ｃは初期構成に含まれていない。この初期構成の状態に対応して、図
４に示す初期構成テーブルＩＣＴでは、両面印刷ユニット２４ａは初期構成情報「オン」
、給紙ユニット２４ｂは初期構成情報「オン」、ソーター２４ｃは初期構成情報「オフ」
となっている。
【００２６】
上述した構成をもつ販売時のプリンタ１において、コントローラ１０は、印刷エンジン
２０のメカコントローラ２３にオプション品２４が装着されているか否かを検出させると
ともに、初期構成テーブルＩＣＴを参照することにより、初期構成に含まれるオプション
品２４の装着を確認する処理を行う。そして、初期構成に含まれるオプション品２４が検
出されていない場合、初期構成に含まれるオプション品２４が正しく装着されていないた
めに検出できていない状態や、初期構成に含まれるオプション品２４と画像形成装置本体
側との接触不良等により検出できていない状態となっていることが想定できるため、ユー
ザーに対してエラーを通知する処理を行う。
【００２７】
次に、本プリンタ１における動作の手順について図５のフローチャートに従って詳細に
説明する。なお、図５の処理は、コントローラ１０のＣＰＵ１１が、ＲＯＭ１２に記憶さ
れたプログラムを実行することにより行われるものである。
【００２８】
例えば、電源が投入されてプリンタ１が起動したとき等の所定のタイミングまたは所定
時間ごとに、図５の処理が開始される。処理が開始されると、まず、ＣＰＵ１１は、不揮
発性メモリ１４に記憶された初期構成テーブルＩＣＴを参照することにより、プリンタ１
に装着されうる各オプション品２４についての初期構成情報を取得する（ステップＳ１０
）。
【００２９】
次に、コントローラ１０のＣＰＵ１１は、メカコントローラ２３に各オプション品２４
の装着有無を検出させ、メカコントローラ２３から検出結果を受け取ることにより、プリ
ンタ１に装着されうる各オプション品２４についての実装情報を取得する（ステップＳ２
０）。
【００３０】
こうして、初期構成情報および実装情報を取得すると、次に、ＣＰＵ１１は、プリンタ
１に装着されうる全オプション品２４についてステップＳ４０〜Ｓ１２０にて行う判定が
済んでいるか否かを判断する（ステップＳ３０）。判定が済んでいなければ（ステップＳ
３０：Ｎｏ）、未判定のオプション品２４のいずれかに注目して（ステップＳ４０）、ス
テップＳ５０に進む。
【００３１】
ステップＳ５０に処理が進むと、注目したオプション品２４の実装状態を判定するため
、まず、ＣＰＵ１１は、注目したオプション品２４についての実装情報が「オン」になっ
ているか否かを判断する。実装情報が「オン」になっていれば（ステップＳ５０：Ｙｅｓ
）、注目したオプション品２４がメカコントローラ２３により検出されており、対応する
装着部２１に装着されていることが確認される。
【００３２】
次に、ＣＰＵ１１は、注目したオプション品２４に対応する初期構成情報が「オン」に
なっているか否かを判断する（ステップＳ６０）。初期構成情報が「オン」になっていれ
ば（ステップＳ６０：Ｙｅｓ）、注目したオプション品２４は初期構成に含まれるもので
あり、且つそのオプション品２４が装着されていることが既に確認されているので、ＣＰ
Ｕ１１は、初期構成のオプション品２４が正常な実装状態になっていると判定する（ステ
ップＳ７０）。
【００３３】
一方、初期構成情報が「オフ」になっていれば（ステップＳ６０：Ｎｏ）、注目したオ
プション品２４はユーザー側で後付けされたものであり、そのオプション品２４が装着さ
れていることが確認されているので、ＣＰＵ１１は、後付けのオプション品２４が正常な
実装状態となっていると判定する（ステップＳ８０）。なお、ステップＳ７０，Ｓ８０に
おいては、注目したオプション品２４が正常な実装状態であると判定されるため、エラー
表示の処理を行うことなく、その後、ステップＳ３０に処理が戻る。
【００３４】
また、ステップＳ５０において、実装情報が「オフ」であれば（ステップＳ５０：Ｎｏ
）、次に、ＣＰＵ１１は、注目したオプション品２４について初期構成情報が「オン」に
なっているか否かを判断する（ステップＳ９０）。
【００３５】
初期構成情報が「オン」になっていれば（ステップＳ９０：Ｙｅｓ）、注目したオプシ
ョン品２４は初期構成に含まれるものであるが、そのオプション品２４の装着が検出され
ていないので、ＣＰＵ１１は、初期構成のオプション品２４が未実装状態となっていると
判定する（ステップＳ１００）。
【００３６】
このとき、標準装備として装着されているはずのオプション品２４が正しく装着されて
いない状態、または端子間の接触不良等により、オプション品２４を検出できていない状
態になっている可能性があるため、ＣＰＵ１１は表示パネル３０にエラー画面を表示させ
ることにより、エラーを通知する（ステップＳ１１０）。
【００３７】
図６は、エラー画面の一例を示したものである。図６に示すように、エラー画面ＥＲＧ
には、両面印刷ユニット２４ａが正しく接続されていない旨のメッセージ、および電源を
切ってから両面印刷ユニット２４ａを正しく接続し直して電源を入れ直すよう、ユーザー
に促すメッセージが含まれている。なお、図６に示したエラー画面ＥＲＧは、両面印刷ユ
ニット２４ａが未実装状態となっている場合の例であるが、エラー画面ＥＲＧには、初期
構成に含まれるオプション品２４のうち、未実装状態であると判定されたオプション品２
４の種類に応じた適切なメッセージが適宜表示される。これにより、オプション品の装着
エラーがユーザーに通知される。
【００３８】
そして、エラー画面ＥＲＧに従って、ユーザーが、オプション品２４を正しく接続し直
す操作を行うことにより、エラーが解消された正常な接続状態とされる。また、エラー画
面ＥＲＧメッセージに従って電源が入れ直されたとき、電源投入後に、再び図５の処理が
行われて、再接続されたオプション品２４を含む各オプション品２４の接続状態が再確認
される。このように、エラー通知の際に表示されるエラー画面ＥＲＧには、オプション品
２４が正しく接続できていない旨に加えて、さらにエラー内容を解消する操作手順が示さ
れているので、ユーザーは、オプション品２４が正常な実装状態となっていないことを知
ることができるとともに、エラーに対して簡単に対処することができる。
【００３９】
一方、図５に示したステップＳ９０の処理において、初期構成情報が「オフ」であれば
（ステップＳ９０：Ｎｏ）、注目したオプション品２４は初期構成に含まれないものであ
り、未装着の状態になっているので、ＣＰＵ１１は、後付けのオプション品２４について
未実装の状態になっていると判定する（ステップＳ１２０）。ここでは、注目したオプシ
ョン品２４については、初期構成の状態が維持されており、正しく装着されていない状態
、または接触不良等により検出できていない状態になっているわけではないので、エラー
表示の処理を行うことなく、ステップＳ３０に戻る。
【００４０】
こうして、ステップＳ７０，Ｓ８０，Ｓ１２０の判定後またはＳ１１０のエラー画面表
示後、処理はステップＳ３０に戻り、さらに未判定のオプション品があれば（ステップＳ
３０：Ｎｏ）、そのオプション品に対してステップＳ４０〜Ｓ１２０の処理を行うことに
より、未判定のオプション品２４について実装状態を判定する。そして、プリンタ１に装
着されうる全オプション品２４について実装状態が判定されると（ステップＳ３０：Ｙｅ
ｓ）、図５の処理を終了する。
【００４１】
なお、ステップＳ２０の処理が検出ステップ、ステップＳ３０〜Ｓ１００，Ｓ１２０の
処理が判定ステップ、ステップＳ１１０の処理が通知ステップに相当する。
【００４２】
また、以上では、初期構成テーブルＩＣＴが設定された状態における処理例について示
したが、例えば、工場出荷後のカスタマイズが行われていないため初期構成テーブルＩＣ
Ｔが未設定の場合、ＣＰＵ１１は、初期構成テーブルＩＣＴに代えて出荷時構成テーブル
ＳＣＴを参照して図５の処理を行う。すなわち、工場出荷時の構成が初期構成であるもの
として処理される。これにより、工場出荷時のオプション構成（出荷時構成）に対する実
際の装着状態が判定され、出荷時構成に含まれるオプション品２４が未実装であれば、そ
の旨のエラーが通知される。
【００４３】
上述したように、本実施例のプリンタ１では、不揮発性メモリ１４に予め記憶された初
期構成テーブルＩＣＴを参照することにより、初期構成に含まれるオプション品２４が正
しく装着されていない状態や本体側との接触不良等により検出できていない状態を、エラ
ーとして検出して通知することができる。したがって、工場出荷時には未装着であり、工
場出荷後のカスタマイズにより標準装備とされたオプション品２４についても、その装着
状態を適切に管理することができる。
【００４４】
なお、販売会社等、工場出荷後にプリンタ１のカスタマイズを行おうとする者は、カス
タマイズ後のオプション構成に対応する初期構成テーブルＩＣＴを不揮発性メモリ１４に
登録することにより、追加されたオプション品２４を含めて適切に管理できる状態にプリ
ンタ１を設定することができる。したがって、カスタマイズにより追加されたオプション
品２４を適切に管理できる状態に簡単に設定することができ、仕向け先等に対応してオプ
ション構成をカスタマイズするためにかかる負担が低減する。
【００４５】
以上、実施の形態の一実施例について説明したが、以下の変形例としてもよい。
【００４６】
（変形例１）上記実施例では、プリンタに備わる表示パネルにエラー画面を表示させる
ことにより、エラーを通知するようにしたが、エラー通知の形態としてはこれに限られな
い。例えば、音声出力や所定のインジケータの点滅等によってエラーを通知するようにし
てもよい。また、プリンタのホストコンピュータに備わるディスプレイにエラー画面を表
示させるようにしてもよい。
【００４７】
（変形例２）上記実施例では、工場出荷後にオプション品を追加するカスタマイズを行
う場合の例について説明したが、カスタマイズの内容はこれに限られない。工場出荷時に
オプション品を予め標準装備としている場合であれば、工場出荷時に装備されていたオプ
ション品を取り外す、または、より高機能なオプション品（例えば、工場出荷時に装着さ
れた給紙ユニットに対して用紙収容枚数がより多い給紙ユニット）に交換するようなカス
タマイズを行うようにしてもよい。この場合についても、カスタマイズ後の初期構成テー
ブルを設定することにより、取り外しまたは交換されたオプション品を適切に管理するこ
とができる。
【００４８】
（変形例３）上記実施例では、画像形成装置の一例としてプリンタについて説明したが
、複写機、複合機、ファックス等の画像形成装置であってもよい。
【図面の簡単な説明】
【００４９】
【図１】本実施例に係るプリンタの構成図。
【図２】オプション品のカスタマイズを説明するための図。
【図３】出荷時構成テーブルの一例を示した図。
【図４】初期構成テーブルの一例を示した図。
【図５】プリンタにおける動作の手順を示したフローチャート。
【図６】エラー画面の一例を示した図。
【符号の説明】
【００５０】
１…画像形成装置としてのプリンタ、１０…通知部としてのコントローラ、１１…ＣＰ
Ｕ、１２…ＲＯＭ、１３…ＲＡＭ、１４…記憶部としての不揮発性メモリ、１５…通信Ｉ
／Ｆ、１６…エンジンＩ／Ｆ、１７…パネルＩ／Ｆ、２０…印刷エンジン、２１…装着部
、２１ａ…両面印刷ユニット装着部、２１ｂ…給紙ユニット装着部、２１ｃ…ソーター装
着部、２２…印刷機構部、２３…検出部としてのメカコントローラ、２４…オプション品
、２４ａ…両面印刷ユニット、２４ｂ…給紙ユニット、２４ｃ…ソーター、３０…表示パ
ネル、ＳＣＴ…出荷時構成テーブル、ＩＣＴ…初期構成テーブル、ＥＲＧ…エラー画面。
【図１】
2009288752.tif 000003
【図２】
2009288752.tif 000004
【図３】
2009288752.tif 000005
【図４】
2009288752.tif 000006
【図５】
2009288752.tif 000007
【図６】
2009288752.tif 000008